(57)【要約】【課題】携帯端末用支持具に２次元バーコードを表示してユーザが特定のＵＲＬのホームページに容易にアクセスできるようにすることを、カードによって提供すること。【解決手段】切れ目及び折線を有し、切れ目を切り離し折線に従って折ることにより、支持部、第一の係止部（支持部を係止）及び第二の係止部（携帯端末の前記支持部と反対側の面を係止）がカードの一面より突出して携帯端末用支持具が形成されるカードであって、２次元バーコードがその一面（携帯端末用支持具として使用する際の上側の面）に表示されているものを提供する。【選択図】図１
2015076870.tif 000002
【特許請求の範囲】
【請求項１】
切れ目及び折線を有し、
前記切れ目を切り離し、前記折線に従って折ることにより、支持部、第一の係止部及び第二の係止部がカードの一面より突出して携帯端末用支持具が形成され、
形成された携帯端末用支持具において、前記第一の係止部は前記支持部を係止し、前記第二の係止部は携帯端末の前記支持部と反対側の面を係止し、
前記一面に２次元バーコードが表示されていることを特徴とするカード。
【請求項２】
前記２次元バーコードが前記第二の係止部に対して前記支持部と反対側の箇所に表示されていることを特徴とする、請求項１に記載のカード。
【請求項３】
ポリエチレンテレフタラート製であることを特徴とする、請求項１又は２に記載のカード。
【請求項４】
前記携帯端末がスマートフォンであり、略名刺サイズであることを特徴とする、請求項１〜３のいずれか１項に記載のカード。
【発明の詳細な説明】
【技術分野】
【０００１】
本発明は、切り離すこと及び折ることによって携帯端末用支持具が形成されるカードに関する。
【背景技術】
【０００２】
携帯端末、特にスマートフォンを使用しやすい（画面の見やすい）角度に固定して把持する携帯端末用支持具は、広く知られている。
携帯端末用支持具としては、頑丈な構造を有するものもあるが、簡易に形成することができ、持ち運びが容易なものも好まれている。
【０００３】
特許文献１には、板状体を、切れ目において切り離し、折線に従って折ることにより、形成される携帯端末用支持具が開示されている。
このように、カード形状の板状体を携帯端末用支持具に形成できるものは、持ち運びが容易で便利である。
【０００４】
また、カード形状であれば、名刺や宣伝媒体として活用することもできる。
しかし、特許文献１のものを含むカード形状の板状体から形成される携帯端末用支持具は、携帯端末用支持具としての機能のみが考慮され、カードの面に表示される情報についての考慮は全くされていなかった。
【０００５】
昨今の携帯端末、特にスマートフォンの多くは、２次元バーコードを撮影してそのバーコードによって現されたＵＲＬのホームページにアクセスする機能を備えている。してみれば、携帯端末用支持具に２次元バーコードを表示して、その携帯端末用支持具を使用するユーザが特定のＵＲＬのホームページに容易にアクセスできるようにすることも可能である。
携帯端末用支持具に形成できるカードを宣伝媒体として活用するのであれば、カードに表示された情報にマッチするＵＲＬを表す２次元バーコードを表示することで、カードが携帯端末と一緒に使用されて極めて有効な宣伝媒体となる。しかし、かかる２次元バーコードの表示は知られていなかった。
【先行技術文献】
【特許文献】
【０００６】
【特許文献１】実用新案登録第３１８０１４１号公報
【発明の概要】
【発明が解決しようとする課題】
【０００７】
本発明は、携帯端末用支持具に２次元バーコードを表示してユーザが特定のＵＲＬのホームページに容易にアクセスできるようにすることを、カードによって提供することを課題とする。
【課題を解決するための手段】
【０００８】
本発明のカードは、
切れ目及び折線を有し、
前記切れ目を切り離し、前記折線に従って折ることにより、支持部、第一の係止部及び第二の係止部がカードの一面より突出して携帯端末用支持具が形成され、
形成された携帯端末用支持具において、前記第一の係止部は前記支持部を係止し、前記第二の係止部は携帯端末の前記支持部と反対側の面を係止し、
前記一面に２次元バーコードが表示されていることを特徴とする。
【０００９】
切れ目において切り離し、折線に従って折ることにより、携帯端末用支持具が形成されるカードである。携帯端末用支持具として使用する際の上側（前記一面）に２次元バーコードが表示されているので、２次元バーコードを撮影した後に、携帯端末を容易に支持具に置くことができる。
【００１０】
本発明のカードは、
前記２次元バーコードが前記第二の係止部に対して前記支持部と反対側の箇所に表示されていることを特徴とする。
【００１１】
携帯端末用支持具として使用する際に、携帯端末を置く場所よりも手前に２次元バーコードが表示されている。携帯端末を持ち上げて、携帯端末用支持具を移動することなく、２次元バーコードを撮影することができる。
【００１２】
本発明のカードは、
ポリエチレンテレフタラート製であることを特徴とする。
【００１３】
ポリエチレンテレフタラート（ＰＥＴ）は、十分な硬度があり、携帯端末用支持具に適している。
【００１４】
本発明のカードは、
前記携帯端末がスマートフォンであり、略名刺サイズであることを特徴とする。
【００１５】
携帯端末がスマートフォンであれば、カードを略名刺サイズとすることができる。宣伝媒体として、極めて有効なものとなる。
【発明の効果】
【００１６】
本発明のカードは、携帯端末用支持具に２次元バーコードを表示してユーザが特定のＵＲＬのホームページに容易にアクセスできるようにするものであり、極めて有効な宣伝媒体となる。
【図面の簡単な説明】
【００１７】
【図１】図１は、カードを示す図である。
【図２】図２は、携帯端末用支持具を形成した状態を示す図である。
【図３】図３は、携帯端末用支持具の使用状態を示す図である。
【図４】図４は、２次元バーコードの表示位置のバリエーションを示す図である。
【発明を実施するための形態】
【００１８】
図１は、カードを示す図である。カード１は、ＰＥＴ製であり、略名刺サイズである。カード１は、切れ目２ａ、２ｂ、２ｃ１及び２ｃ２、折線３ａ、３ｂ１、３ｂ２、３ｂ３、３ｂ４、３ｃ１及び３ｃ２を有している。カード１は、切れ目２によって区分され、第二の係止部４ａ、支持部４ｂ、第一の係止部４ｃ及び基台部４ｄを有する。また、２次元バーコード５が表示されている。
【００１９】
切れ目２及び折線３は、外観上あまり目立たないようにすることできる。すなわち、カード１に宣伝広告を印刷する、名刺を印刷する等の活用が可能である。
【００２０】
図２は、携帯端末用支持具を形成した状態を示す図である。カード１を切れ目２で区分し、折線３で折った状態である。第二の係止部４ａと支持部４ｂとによって、スマートフォン用の支持具が形成されている。略名刺サイズのカード１がスマートフォンの支持具として適切なものとなる。
【００２１】
図２において、第一の係止部として４ｃ１（図では支持部４ｂの裏側に隠れている）を用いて支持部４ｂを固定している。部分４ｃ２は第一の係止部として用いられていない。部分４ｃ２には、（１）部分４ｃ１に替えて第一の係止部として用いる（支持部４ｂの基台部４ｄに対する角度が４ｃ１と異なる。）こと、（２）部分４ｃ１を第一の係止部として用いて支持部４ｂの部分４ａとは反対側にスマートフォンを支持する際の第二の係止部として用いること、の２つの活用法がある。
【００２２】
図２から明らかなように、折線３ｂ２及び３ｂ４は山折され、他の折線は谷折される。かかる山折・谷折の別に応じてカード１の片面（山折では表面、谷折では裏面）に微細な溝を設けてもよい。
【００２３】
図３は、携帯端末用支持具の使用状態を示す図である。第二の係止部４ａの表面が見えており、携帯端末用支持具の使用時にもスマートフォン６によって隠されることがない。この部分に商品名や会社名等を印刷することが、宣伝媒体としての有効性を高いものとする。
【００２４】
使用者は、スマートフォン６を用いて２次元バーコード５を撮影することで、２次元バーコード５に表されたＵＲＬのホームページを閲覧することができる。２次元バーコード５を撮影し、その後に、携帯端末を携帯端末用支持具に置く。特に、該ＵＲＬが動画を表示するものである場合に、快適に使用することができ、宣伝媒体としての有効性が極めて高い。
【００２５】
以上、本発明の１実施形態を説明したが、本発明の技術的範囲は、この実施形態に限定されない。特許請求の範囲の記載の範囲で、他の形態が可能である。
例えば、切れ目及び折線の具体的な位置は一例であり、携帯端末用支持具を形成できるものは無数にある。
【００２６】
また、２次元バーコードの表示位置も、各種考えられる。図４は、２次元バーコードの表示位置のバリエーションを示す図である。実施例に示した前面中央５のほかに、前面側部５ａであってもよい。また、第二の係止部の一部５ｂに表示することや、支持部の一部５ｃに表示することも考えられる。
【産業上の利用可能性】
【００２７】
２次元バーコードを表示してユーザが特定のＵＲＬのホームページに容易にアクセスできるようにする携帯端末用支持具を形成できるカードであり、極めて有効な宣伝媒体となるので、多くの企業による利用が考えられる。
【符号の説明】
【００２８】
１    カード
２    切れ目
３    折線
４ａ  第二の係止部
４ｂ  支持部
４ｃ  第一の係止部
４ｄ  基台部
５    ２次元バーコード
６    スマートフォン
【図１】
2015076870.tif 000003
【図２】
2015076870.tif 000004
【図３】
2015076870.tif 000005
【図４】
2015076870.tif 000006